(57)【要約】【課題】蓄電池の定格容量を増やさずに光源の点灯可能な時間の延長を図る。【解決手段】照明装置は、ＬＥＤと、蓄電池と、外部から供給される電力で蓄電池を充電する充電回路と、ＬＥＤを点灯させる点灯回路と、充電回路及び点灯回路を制御する制御回路とを備える。制御回路は、外部から点滅信号を受けたときにＬＥＤを点灯させるように点灯回路を動作させる。制御回路は、点灯回路を動作させているときに蓄電池を充電する充電電流（出力電流）を増やすように充電回路を制御する。【選択図】        図６
2020087839.tif 000002
【特許請求の範囲】
【請求項１】
光源と、
蓄電池と、
外部から供給される電力で前記蓄電池を充電する充電回路と、
前記光源を点灯させる点灯回路と、
前記充電回路及び前記点灯回路を制御する制御回路と、
を備え、
前記制御回路は、外部からトリガ信号を受けたときに前記光源を点灯させるように前記点灯回路を動作させ、かつ、前記点灯回路を動作させているときに前記蓄電池を充電する充電電流を増やすように前記充電回路を制御する、
照明装置。
【請求項２】
前記制御回路は、前記トリガ信号を受けてから前記点灯回路の動作を開始させるタイミングと、前記トリガ信号を受けてから前記充電電流を増やすように前記充電回路を制御するタイミングとの時間差を所定の限度値以下とする、
請求項１記載の照明装置。
【請求項３】
前記制御回路は、前記限度値をゼロとする、
請求項２記載の照明装置。
【請求項４】
前記制御回路は、前記充電回路の動作開始時点からの経過時間が所定の充電時間に達する前に前記トリガ信号を受けたときに前記充電電流を増やすように前記充電回路を制御する、
請求項１〜３のいずれか１項に記載の照明装置。
【請求項５】
前記制御回路は、前記トリガ信号を受けて前記点灯回路の動作を開始させた後、前記蓄電池の電池電圧が所定のしきい値以下に低下したときに前記充電電流を増やすように前記充電回路を制御する、
請求項１記載の照明装置。
【請求項６】
前記制御回路は、前記充電電流を増やす際に前記充電電流を漸増させるように前記充電回路を制御する、
請求項１〜５のいずれか１項に記載の照明装置。
【請求項７】
前記制御回路は、前記光源を周期的に点滅させるように前記点灯回路を制御する、
請求項１〜６のいずれか１項に記載の照明装置。
【発明の詳細な説明】
【技術分野】
【０００１】
本開示は、照明装置に関し、より詳細には、蓄電池から供給される電力で光源を点灯させる照明装置に関する。
【背景技術】
【０００２】
従来例として特許文献１記載の非常用照明装置を例示する。特許文献１記載の非常用照明装置（以下、従来例という。）は、バッテリと、常用電源から供給される電力でバッテリを充電する充電回路と、バッテリの放電電圧を昇圧する昇圧回路とを備える。従来例は、バッテリを充電回路に接続する状態とバッテリを昇圧回路に接続する状態とを選択的に切り替える切替回路と、昇圧回路からＬＥＤ光源部に供給する電流を制御する点滅制御回路とを更に備える。
【０００３】
切替回路は、信号装置から受け取る制御信号に応じて、バッテリの接続を切り替える。信号装置は、火災感知器によって火災の発生が通知されると、避難路に適した通路及び階段などに設置されている非常用照明装置に対して制御信号を送信する。当該制御信号を受信した従来例の切替回路は、バッテリの接続先を充電回路から昇圧回路に切り替える。さらに、切替回路から指示された点滅制御回路がＬＥＤ光源部を点滅させる。つまり、従来例は、ＬＥＤ光源部を点滅させることによって避難誘導を行う。
【先行技術文献】
【特許文献】
【０００４】
【特許文献１】特開２０１１−２０４６９８号公報
【発明の概要】
【発明が解決しようとする課題】
【０００５】
ところで、上記従来例では、バッテリ（蓄電池）が満充電（完全充電）されていない状態で信号装置から制御信号を受信した場合、ＬＥＤ光源部（光源）の点灯可能な時間がバッテリ（蓄電池）の残容量に応じて短縮されてしまう。しかしながら、このような非常用照明装置（照明装置）においては、バッテリ（蓄電池）の容量（定格容量）を増やさずにＬＥＤ光源部（光源）の点滅（点灯）可能な時間を延ばすことが望まれている。
【０００６】
本開示の目的は、蓄電池の定格容量を増やさずに光源の点灯可能な時間の延長を図ることができる照明装置を提供することである。
【課題を解決するための手段】
【０００７】
本開示の一態様に係る照明装置は、光源と、蓄電池と、外部から供給される電力で前記蓄電池を充電する充電回路と、前記光源を点灯させる点灯回路と、前記充電回路及び前記点灯回路を制御する制御回路とを備える。前記制御回路は、外部からトリガ信号を受けたときに前記光源を点灯させるように前記点灯回路を動作させる。前記制御回路は、前記点灯回路を動作させているときに前記蓄電池を充電する充電電流を増やすように前記充電回路を制御する。
【発明の効果】
【０００８】
本開示の照明装置は、蓄電池の定格容量を増やさずに光源の点灯可能な時間の延長を図ることができるという効果がある。
【図面の簡単な説明】
【０００９】
【図１】図１は、本開示の実施形態に係る照明装置の正面図である。
【図２】図２は、同上の照明装置の分解斜視図である。
【図３】図３は、同上の照明装置の回路構成図である。
【図４】図４は、同上の照明装置における充電回路の回路図である。
【図５】図５は、同上の照明装置における充電回路の動作説明用の波形図である。
【図６】図６は、同上の照明装置における充電回路の動作説明用の波形図である。
【図７】図７は、同上の照明装置における充電回路の動作説明用の波形図である。
【図８】図８は、同上の照明装置における充電回路の動作説明用の波形図である。
【図９】図９は、同上の照明装置における充電回路の動作説明用の波形図である。
【発明を実施するための形態】
【００１０】
本開示の一態様に係る照明装置の実施形態について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１１】
実施形態の照明装置１は、誘導灯器具の近傍に取り付けられ、誘導灯信号装置から制御信号（点滅信号）を受けて、誘導効果を高めるためにＬＥＤ光源を点滅させる、いわゆる独立形点滅装置である（日本照明工業会規格JIL5502-2008参照）。照明装置１は、造営材（例えば、建物内の避難口の近くの壁）に直付けされる直付け型の点滅装置である。
【００１２】
照明装置１は、図１及び図２に示すように、光源ユニット２と、電源ユニット４と、蓄電池ブロック３と、光源ユニット２、電源ユニット４及び蓄電池ブロック３を収容して造営材に取り付けられる筐体５とを備える。なお、以下の説明においては、特に断りのない限り、図２に矢印で示す向きにおいて、照明装置１の上下、左右及び前後の各方向を規定する。
【００１３】
筐体５は、前面が開放された箱形のボディ５０と、後面が開放された箱形のカバー５１とを有する。ボディ５０は、長方形状の底板５００と、底板５００の四つの辺の各々から前方に立ち上がる四つの側板５０１とを有する。底板５００は、常用電源６（例えば、商用の電力系統）から給電されるための電源線が通される第１電線孔５０２と、点滅信号が伝送される信号線が通される第２電線孔５０３とを有している。底板５００と四つの側板５０１は、亜鉛鋼板などの金属板が曲げ加工されることによって一体に形成されている。なお、ボディ５０は、例えば、複数本のねじによって造営材にねじ止めされる。
【００１４】
光源ユニット２は、ＬＥＤ（Light Emitting Diode）２０と、ＬＥＤ２０を支持するホルダ２１と、レンズ２２と、取付板２３とを有している（図１及び図２参照）。ＬＥＤ２０は、例えば、ＣＯＢ（Chip on Board）型の照明用白色ＬＥＤである。ホルダ２１は、ポリカーボネート樹脂などの合成樹脂材料によって円板状に形成されている。ホルダ２１の中央部にＬＥＤ２０が保持されている。レンズ２２は、アクリル樹脂によってドーム状に形成されている。ただし、レンズ２２は、ケイ酸塩ガラスや石英ガラスのような不燃材によって形成されてもかまわない。ホルダ２１とレンズ２２は、取付板２３の前面にねじ止めして取り付けられる。光源ユニット２は、支持板２４を介してボディ５０の底板５００の前面に固定される（図２参照）。
【００１５】
蓄電池ブロック３は、複数本の乾電池型の電池セルが熱収縮チューブに包まれて構成された蓄電池３０（図３参照）と、蓄電池３０を保持する電池ホルダ３１と、蓄電池３０と電気的に接続されている電線３２とを有している（図２参照）。電池セルは、例えば、ニッケル・水素蓄電池である。蓄電池ブロック３の電池ホルダ３１は、ボディ５０の底板５００の前面下部において、複数のリベットによって底板５００に固定される。
【００１６】
電源ユニット４は、合成樹脂製のケース４５を有する（図２参照）。ケース４５は、後述する回路が構成されたプリント回路板を内部に収容する。電源ユニット４は、ボディ５０の底板５００と支持板２４の間に形成された空間にはめ込まれてボディ５０に支持されている（図２参照）。
【００１７】
カバー５１は、ボディ５０の前面を覆うように、ボディ５０に対して着脱可能に取り付けられる。カバー５１の前面に、光源ユニット２のレンズ２２が挿通される円形の孔５１０が貫通している。すなわち、ボディ５０と結合されたカバー５１の孔５１０から光源ユニット２のレンズ２２がカバー５１の外に露出するので（図１参照）、光源ユニット２の光は、カバー５１の孔５１０を通して筐体５の外に出射される。
【００１８】
次に、電源ユニット４の回路構成について、図３を参照して詳細に説明する。
【００１９】
電源ユニット４は、充電回路４０、点灯回路４１、制御回路４２、交直変換回路４３、受信回路４４を備える。
【００２０】
交直変換回路４３は、常用電源６から供給される交流電力を直流電力に変換する。交直変換回路４３は、例えば、ダイオードブリッジのような全波整流回路と、全波整流回路の脈流電圧を平滑する平滑コンデンサと、平滑コンデンサの両端電圧（入力電圧）を電圧変換するＤＣ／ＤＣコンバータとを有する。ＤＣ／ＤＣコンバータは、例えば、絶縁型のフライバックコンバータである。交直変換回路４３は、常用電源６から供給される交流電圧（例えば、実効値１００Ｖの交流電圧）を数ボルト〜数十ボルトの直流電圧に変換して出力する。
【００２１】
充電回路４０は、逆流阻止用のダイオードＤ２を介して交直変換回路４３の出力端子に電気的に接続される。充電回路４０は、交直変換回路４３から出力される直流電力を蓄電池ブロック３の蓄電池３０に供給して蓄電池３０を充電する。なお、充電回路４０の詳細な回路構成については後述する。
【００２２】
点灯回路４１は、定電流回路４１０と、第１スイッチング素子Ｑ１と、抵抗器４１１とを有する。
【００２３】
定電流回路４１０は、蓄電池３０の電池電圧ＶＢを昇圧し、かつ、安定化（定電圧化）する。定電流回路４１０は、第２スイッチング素子Ｑ２、チョークコイルＬ１、ダイオードＤ１、入力コンデンサＣ２、出力コンデンサＣ０、ドライブ回路４１２などを有するブーストコンバータ（昇圧チョッパ回路）である。第２スイッチング素子Ｑ２は、例えば、エンハンスメント形のＮチャネルＭＯＳＦＥＴ（metal-oxide-semiconductor field-effect transistor）からなる。ドライブ回路４１２は、抵抗器４１１の両端電圧（ＬＥＤ２０に流れる電流に比例した電圧）に基づいて、ＬＥＤ２０に定電流を流すように第２スイッチング素子Ｑ２に対してパルス幅変調制御を行う。
【００２４】
第１スイッチング素子Ｑ１は、定電流回路４１０から光源ユニット２のＬＥＤ２０への給電路を開閉する。第１スイッチング素子Ｑ１は、例えば、エンハンスメント形のＮチャネルＭＯＳＦＥＴである。抵抗器４１１は、ＬＥＤ２０に流れる電流を検出するために第１スイッチング素子Ｑ１のソースと定電流回路４１０の低電位側の出力端子の間に挿入されている。
【００２５】
受信回路４４は、２線式の信号線４４０を介して誘導灯信号装置から点滅信号を受信したときに制御回路４２に対して制御信号を出力する。なお、点滅信号は、交流１００Ｖ又は直流２４Ｖの電圧信号である。
【００２６】
制御回路４２は、例えば、マイクロコントローラを有している。制御回路４２は、信号線を介して誘導灯信号装置から点滅信号を受信したとき、ドライブ回路４１２に駆動信号を出力する。ドライブ回路４１２は、駆動信号を受け取ると、第２スイッチング素子Ｑ２をスイッチングして定電流回路４１０を動作させる。制御回路４２は、駆動信号を出力した後、第１スイッチング素子Ｑ１をオンして光源ユニット２を点灯させる。ただし、制御回路４２は、誘導効果を高めるために光源ユニット２を間欠駆動する。例えば、制御回路４２は、約５００ｍｓごとに約５０ｍｓの期間だけ第１スイッチング素子Ｑ１をオンして光源ユニット２を点滅させる。
【００２７】
続いて、図４を参照して充電回路４０の回路構成の一例について詳細に説明する。充電回路４０は、シャントレギュレータＵ１、抵抗器Ｒ１〜Ｒ８、コンデンサＣ３、ダイオードＤ３、Ｄ４、第３スイッチング素子Ｑ３、ツェナーダイオードＺＤ１を有している。なお、図４における符号Ｖ１は、交直変換回路４３からダイオードＤ２を介して充電回路４０に入力される入力電圧である。また、図４における符号４６Ａ、４６Ｂは、交直変換回路４３からダイオードＤ２を介して電流が行き来する電路（導体）である。
【００２８】
シャントレギュレータＵ１のカソードがダイオードＤ３のカソードと電気的に接続されている。ダイオードＤ３のアノードは、抵抗器Ｒ１を介して高電位側の電路４６Ａと電気的に接続されている。シャントレギュレータＵ１のアノードは、ダイオードＤ４のアノードと電気的に接続されている。ダイオードＤ４のカソードは蓄電池３０の正極と電気的に接続されている。シャントレギュレータＵ１のリファレンス端子は、二つの抵抗器Ｒ２、Ｒ３の接続点と電気的に接続されている。シャントレギュレータＵ１のカソードとリファレンス端子の間に、コンデンサＣ３と抵抗器Ｒ４が電気的に直列接続されている。なお、コンデンサＣ３は、リファレンス端子の入力電圧の変化を遅延させる役割を担っている。
【００２９】
抵抗器Ｒ２の第一端が高電位側の電路４６Ａと電気的に接続されている。抵抗器Ｒ２の第二端が抵抗器Ｒ３の第一端と電気的に接続されている。抵抗器Ｒ３の第二端がシャントレギュレータＵ１のアノードと電気的に接続されている。抵抗器Ｒ５の第一端が高電位側の電路４６Ａと電気的に接続されている。抵抗器Ｒ５の第二端が抵抗器Ｒ６の第一端と電気的に接続されている。抵抗器Ｒ６の第二端がシャントレギュレータＵ１のアノードと電気的に接続されている。
【００３０】
第３スイッチング素子Ｑ３は、ＰＮＰ型のバイポーラトランジスタである。第３スイッチング素子Ｑ３のエミッタが高電位側の電路４６Ａと電気的に接続されている。第３スイッチング素子Ｑ３のコレクタが抵抗器Ｒ５の第二端及び抵抗器Ｒ６の第一端と電気的に接続されている。抵抗器Ｒ７の第一端が高電位側の電路４６Ａと電気的に接続されている。抵抗器Ｒ７の第二端が抵抗器Ｒ８の第一端及び第３スイッチング素子Ｑ３のベースと電気的に接続されている。抵抗器Ｒ８の第二端が制御回路４２の出力ポートと電気的に接続されている。
【００３１】
ツェナーダイオードＺＤ１のカソードがダイオードＤ３のアノードと電気的に接続されている。ツェナーダイオードＺＤ１のアノードが低電位側の電路４６Ｂと電気的に接続されている。なお、ツェナーダイオードＺＤ１は、シャントレギュレータＵ１に過大な電圧が印加されることを防ぐ役割を担っている。
【００３２】
次に、充電回路４０の動作を説明する。まず、受信回路４４が誘導灯信号装置から点滅信号を受信していない場合の充電回路４０の動作を説明する。なお、制御回路４２は、受信回路４４から制御信号を受け取っていない場合、制御回路４２の出力端子（抵抗器Ｒ８に接続された出力ポート）をオープンする（ハイレベルとする）ことにより、第３スイッチング素子Ｑ３をオフする。
【００３３】
シャントレギュレータＵ１は、アノードに対するリファレンス端子の電圧がリファレンス電圧（基準電圧）に等しくなるようにカソード電流（抵抗器Ｒ１からダイオードＤ３を介してシャントレギュレータＵ１に流れる電流）Ｉ２を調整する。したがって、二つの抵抗器Ｒ２、Ｒ３には、抵抗器Ｒ３の電圧降下がシャントレギュレータＵ１のリファレンス電圧に等しくなるような電流Ｉ３が流れる。また、二つの抵抗器Ｒ５、Ｒ６には、電流Ｉ３の大きさと二つの抵抗器Ｒ２、Ｒ３の合成抵抗の抵抗値との積に等しい電圧を二つの抵抗器Ｒ５、Ｒ６の合成抵抗の抵抗値で除した大きさの電流Ｉ４が流れる。ただし、抵抗器Ｒ５、Ｒ６の抵抗値は他の抵抗器Ｒ１〜Ｒ３の抵抗値よりも十分に小さいので、電流Ｉ４の大きさは電流Ｉ３よりも十分に大きい。充電回路４０の出力電流Ｉ１（充電電流）は、上記三つの電流Ｉ２、Ｉ３、Ｉ４の合成電流となる。ただし、二つの電流Ｉ２、Ｉ３は、残り一つの電流Ｉ４よりも十分に小さいので、電流Ｉ４が出力電流Ｉ１の大半を占めている。
【００３４】
続いて、受信回路４４が誘導灯信号装置から点滅信号を受信している場合の充電回路４０の動作を説明する。制御回路４２は、点滅信号を受信した受信回路４４から制御信号を受け取ると、第３スイッチング素子Ｑ３のベースを抵抗器Ｒ８を介してグランド（低電位側の電路４６Ｂ）に電気的に接続することにより、第３スイッチング素子Ｑ３をオンする。第３スイッチング素子Ｑ３がオンすることにより、抵抗器Ｒ５の両端が第３スイッチング素子Ｑ３で短絡される。したがって、電流Ｉ３の大きさは変わらないが、電流Ｉ４が増加することにより、出力電流Ｉ１も増加する。充電回路４０の出力電流Ｉ１が増加すれば、蓄電池３０に充電電流を供給しつつ、光源ユニット２を点滅させることができる。つまり、照明装置１では、点灯回路４１を動作させる際、制御回路４２が蓄電池３０を充電する充電電流（出力電流Ｉ１）を増やすように充電回路４０を制御するので、蓄電池３０の定格容量を増やさずに光源ユニット２の点灯可能な時間の延長を図ることができる。
【００３５】
次に、受信回路４４が点滅信号を受信してから制御回路４２が充電回路４０を制御して出力電流Ｉ１を変化させるタイミングについて、図５〜図６を参照して説明する。なお、図５〜図６における上段の波形は、照明装置１（の受信回路４４）に対する点滅信号の受信状況を示している。また、中段の波形は、点灯回路４１から第１スイッチング素子Ｑ１を介してＬＥＤ２０に供給される電流を示している。さらに、下段の波形は、充電回路４０の出力電流Ｉ１（充電電流）を示している。なお、各段の波形の横軸は時間ｔである。
【００３６】
図５に示すように、時間ｔ＝ｔ０に常用電源６が投入されると、照明装置１の電源ユニット４が動作を開始して蓄電池３０を充電し始める。このとき、充電回路４０の出力電流Ｉ１の電流値は、相対的に小さい値（例えば、５０ｍＡ）となる。そして、時間ｔ＝ｔ１に誘導灯信号装置から点滅信号が送信されると、点滅信号を受信した受信回路４４から制御回路４２に制御信号が出力される。制御信号を受け取った制御回路４２は、点滅信号を受信してから所定の待機時間Ｔ１が経過したとき（時間ｔ＝ｔ２）、第３スイッチング素子Ｑ３をオンして充電回路４０の出力電流Ｉ１を増加させる。増加後の出力電流Ｉ１の大きさは、例えば、増加前の出力電流Ｉ１の大きさの１０倍程度（例えば、５００ｍＡ）であることが好ましい。なお、待機時間Ｔ１は、所定の限度値（例えば、数秒から十数分又は数時間から十数時間の範囲の任意の時間）以下であることが好ましい。特に、待機時間Ｔ１は、ゼロ（ｔ１＝ｔ２）であっても構わない（図６参照）。ただし、ここでいう「ゼロ」とは、人が待機時間Ｔ１をゼロと知覚し得る時間差、例えば、数マイクロ秒〜数十ミリ秒の範囲の時間差を含んでいる。照明装置１は、待機時間Ｔ１が短いほど、光源ユニット２が不点となることを防ぐことができる。
【００３７】
ところで、実施形態の照明装置１を含む一般型の非常用照明器具においては、蓄電池を満充電するために必要な時間（充電時間）が２４時間以内と定められている。したがって、制御回路４２は、充電回路４０の動作開始時点（時間ｔ＝ｔ０）からの経過時間Ｔ２が充電時間（２４時間）に達する前に制御信号を受けたとき（時間ｔ＝ｔ２）に出力電流Ｉ１を増やすように充電回路４０を制御することが好ましい（図７参照）。制御回路４２が上述のように充電回路４０を制御すれば、電力消費の抑制を図ることができる。なお、図７における一段目の波形は、常用電源６の給電状況を示している。二段目の波形は、照明装置１（の受信回路４４）に対する点滅信号の受信状況を示している。また、三段目の波形は、点灯回路４１から第１スイッチング素子Ｑ１を介してＬＥＤ２０に供給される電流を示している。さらに、四段目の波形は、充電回路４０の出力電流Ｉ１（充電電流）を示している。なお、各段の波形の横軸は時間ｔである。
【００３８】
また、制御回路４２は、蓄電池３０の電池電圧ＶＢを監視し、制御信号を受けた時点（時間ｔ＝ｔ０）の電池電圧ＶＢがしきい値Ｖｒよりも高いときは出力電流Ｉ１を増やすように充電回路４０を制御しないことが好ましい。制御回路４２は、制御信号を受けた時点以降で電池電圧ＶＢがしきい値Ｖｒ以下まで低下したときに出力電流Ｉ１を増やすように充電回路４０を制御することが好ましい（図８参照）。しきい値電圧Ｖｒは、例えば、定格電圧の８０％〜９０％程度の電圧であることが好ましい。制御回路４２が上述のように充電回路４０を制御すれば、電力消費の抑制を図ることができる。なお、図８における上段の波形は、照明装置１（の受信回路４４）に対する点滅信号の受信状況を示している。また、中段の波形は、点灯回路４１から第１スイッチング素子Ｑ１を介してＬＥＤ２０に供給される電流を示している。さらに、下段の波形は、充電回路４０の出力電流Ｉ１（充電電流）を示している。なお、各段の波形の横軸は時間ｔである。
【００３９】
ところで、これまでの説明では、制御回路４２が出力電流Ｉ１を増やすように充電回路４０を制御する際に出力電流Ｉ１を急激に増加させている。これに対して、制御回路４２が出力電流Ｉ１を増やす際に出力電流Ｉ１を漸増させるように充電回路４０を制御することが好ましい（図９参照）。具体的には、制御回路４２は、第３スイッチング素子Ｑ３であるバイポーラトランジスタを能動領域で駆動することにより、バイポーラトランジスタ（第３スイッチング素子Ｑ３）に流れる電流を徐々に増加させればよい。
【００４０】
制御回路４２が出力電流Ｉ１を漸増させるように充電回路４０を制御すれば、出力電流Ｉ１を急激に増加させる場合に比べて、蓄電池３０及びＬＥＤ２０の少なくとも一方に瞬間的に過大な電流が流れることを抑制できる。なお、図９における上段の波形は、照明装置１（の受信回路４４）に対する点滅信号の受信状況を示している。また、中段の波形は、点灯回路４１から第１スイッチング素子Ｑ１を介してＬＥＤ２０に供給される電流を示している。さらに、下段の波形は、充電回路４０の出力電流Ｉ１（充電電流）を示している。なお、各段の波形の横軸は時間ｔである。
【００４１】
なお、実施形態に係る照明装置１は点滅装置に限定されない。例えば、照明装置１は、建物の避難口を表示する役割を担った点滅形避難口誘導灯器具であっても構わない。
【００４２】
上述のように第１の態様に係る照明装置（１）は、光源（ＬＥＤ２０）と、蓄電池（３０）と、外部から供給される電力で蓄電池（３０）を充電する充電回路（４０）とを備える。第１の態様に係る照明装置（１）は、光源を点灯させる点灯回路（４１）と、充電回路（４０）及び点灯回路（４１）を制御する制御回路（４２）とを備える。制御回路（４２）は、外部からトリガ信号（点滅信号）を受けたときに光源を点灯させるように点灯回路（４１）を動作させる。制御回路（４２）は、点灯回路（４１）を動作させているときに蓄電池（３０）を充電する充電電流（出力電流Ｉ１）を増やすように充電回路（４０）を制御する。
【００４３】
第１の態様に係る照明装置（１）は、制御回路（４２）が蓄電池（３０）を充電する充電電流を増やすように充電回路（４０）を制御するので、蓄電池（３０）の定格容量を増やさずに光源の点灯可能な時間の延長を図ることができる。
【００４４】
第２の態様に係る照明装置（１）は、第１の態様との組合せにより実現され得る。第２の態様に係る照明装置（１）において、制御回路（４２）は、トリガ信号を受けてから点灯回路（４１）の動作を開始させるタイミングと、トリガ信号を受けてから充電電流を増やすように充電回路（４０）を制御するタイミングとの時間差（待機時間Ｔ１）を所定の限度値以下とすることが好ましい。
【００４５】
第２の態様に係る照明装置（１）は、蓄電池（３０）の残容量が減少しても光源が不点となることを防ぐことができる。
【００４６】
第３の態様に係る照明装置（１）は、第２の態様との組合せにより実現され得る。第３の態様に係る照明装置（１）において、制御回路（４２）は、限度値をゼロとすることが好ましい。
【００４７】
第３の態様に係る照明装置（１）は、光源が不点となることをより確実に防ぐことができる。
【００４８】
第４の態様に係る照明装置（１）は、第１〜第３の態様のいずれかとの組合せにより実現され得る。第４の態様に係る照明装置（１）において、制御回路（４２）は、充電回路（４０）の動作開始時点からの経過時間（Ｔ２）が所定の充電時間に達する前にトリガ信号を受けたときに充電電流を増やすように充電回路（４０）を制御することが好ましい。
【００４９】
第４の態様に係る照明装置（１）は、電力消費の抑制を図ることができる。
【００５０】
第５の態様に係る照明装置（１）は、第１の態様との組合せにより実現され得る。第５の態様に係る照明装置（１）において、制御回路（４２）は、トリガ信号を受けて点灯回路（４１）の動作を開始させた後、蓄電池の電池電圧が所定のしきい値以下に低下したときに充電電流を増やすように充電回路（４０）を制御することが好ましい。
【００５１】
第５の態様に係る照明装置（１）は、電力消費の抑制を図ることができる。
【００５２】
第６の態様に係る照明装置（１）は、第１〜第５の態様のいずれかとの組合せにより実現され得る。第６の態様に係る照明装置（１）において、制御回路（４２）は、充電電流を増やす際に充電電流を漸増させるように充電回路（４０）を制御することが好ましい。
【００５３】
第６の態様に係る照明装置（１）は、充電電流を急激に増加させる場合に比べて、蓄電池（３０）及び光源の少なくとも一方に瞬間的に過大な電流が流れることを抑制できる。
【００５４】
第７の態様に係る照明装置（１）は、第１〜第６の態様のいずれかとの組合せにより実現され得る。第７の態様に係る照明装置（１）において、制御回路（４２）は、光源を周期的に点滅させるように点灯回路（４１）を制御することが好ましい。
【００５５】
第７の態様に係る照明装置（１）は、例えば、避難誘導用の点滅装置に利用された場合に、光源を周期的に点滅させることによって誘導効果を高めることができる。
【符号の説明】
【００５６】
１  照明装置
２０  ＬＥＤ（光源）
３０  蓄電池
４０  充電回路
４１  点灯回路
４２  制御回路
Ｉ１  出力電流（充電電流）
Ｔ１  待機時間
Ｔ２  待機時間
【図１】
2020087839.tif 000003
【図２】
2020087839.tif 000004
【図３】
2020087839.tif 000005
【図４】
2020087839.tif 000006
【図５】
2020087839.tif 000007
【図６】
2020087839.tif 000008
【図７】
2020087839.tif 000009
【図８】
2020087839.tif 000010
【図９】
2020087839.tif 000011